(57)【要約】【課題】コンパクトで取扱いやすく、シャンプーボールの形状に合わせて取り付けることができ、シャンプー等の施術に支障をきたさない後頭部支持補助具の提供を目的とする。【解決手段】シャンプーボールの内壁に取り付ける後頭部支持補助具であって、枕体と支持体とを備え、枕体は、枕部と枕部の下に湾曲した枕アームを有し、支持体は、吸着部と支持アームとを有し、枕アームに設けた複数の枕体側連結孔のうち、任意の枕体側連結孔を選択して支持アームに設けた支持体側連結孔とを連結部材で連結してあることを特徴とする。【選択図】  図１
0003122987.tif 000002
【実用新案登録請求の範囲】
【請求項１】
シャンプーボールの内壁に取り付ける後頭部支持補助具であって、
枕体と支持体とを備え、
枕体は、枕部と枕部の下に湾曲した枕アームを有し、
支持体は、吸着部と支持アームとを有し、
枕アームに設けた複数の枕体側連結孔のうち、任意の枕体側連結孔を選択して支持アーム
に設けた支持体側連結孔とを連結部材で連結してあることを特徴とする後頭部支持補助具
。
【請求項２】
枕体は、湾曲した枕アームの下端側に吸着部を有していることを特徴とする請求項１記
載の後頭部支持補助具。
【請求項３】
枕体と支持体とに設けた吸着部が角度調整自在になっていることを特徴とする請求項２
記載の後頭部支持補助具。
【請求項４】
枕体は、枕アームの下端側に角度調整アームを有することを特徴とする請求項１〜３のいずれかに記載の後頭部支持補助具。
【考案の詳細な説明】
【技術分野】
【０００１】
本考案は、理容室及び美容室等におけるシャンプーボールに取り付ける補助具に関し、
特に後頭部を支持し、シャンプー施術中における頚椎の圧迫を防止する後頭部支持補助具
に係る。
【背景技術】
【０００２】
図１１にシャンプーボール４０の斜視図を示すように従来から理容室及び美容室等では、
多くの場合仰向けになりシャンプーボール４０の首載置部４１に首を載せて洗髪等をして
いる。
しかし、頭部重量を支持する首には負担が掛かり、頚椎を圧迫し美容室脳卒中症候群等
を引き起こす問題がある。
【０００３】
特許文献１及び２には、後頭部の枕部に高さ調整できる脚部を設けたものや、この脚部
に吸盤を取り付けた後頭部補助具を開示する。
しかし、これらは脚部等をシャンプーボールの底部に固定するものであり、シャンプー
ボールの内壁形状に合わせることが難しく、サイズが大きいだけでなく、この脚部が洗髪
等の施術に支障をきたすものであった。
【０００４】
【特許文献１】特開平１１−２８５４１４号公報
【特許文献２】特開２００２−３３６０３２号公報
【考案の開示】
【考案が解決しようとする課題】
【０００５】
本考案は上記技術的課題に鑑みて、コンパクトで取扱いやすく、シャンプーボールの形
状に合わせて取り付けることができ、シャンプー等の施術に支障をきたさない後頭部支持
補助具の提供を目的とする。
【課題を解決するための手段】
【０００６】
請求項１記載の考案は、シャンプーボールの内壁に取り付ける後頭部支持補助具であっ
て、枕体と支持体とを備え、枕体は、枕部と枕部の下に湾曲した枕アームを有し、支持体
は、吸着部と支持アームとを有し、枕アームに設けた複数の枕体側連結孔のうち、任意の
枕体側連結孔を選択して支持アームに設けた支持体側連結孔とを連結部材で連結してある
ことを特徴とする。
【０００７】
本明細書にては、本考案に係る後頭部支持補助具の使用状態にて垂直方向、水平方向を
定義する。
シャンプー等の施術時に後頭部を載置する枕部の下に湾曲したアームを有していること
により枕アームと支持アームとの連結位置を変えることで枕部の垂直高さと水平方向の取
り付け位置の調整ができるとともに枕部の上面を水平に維持するように作用する。
【０００８】
請求項２記載の考案は、吸着部を支持体のみならず枕体の湾曲した枕アームの下端側に
も設けることでシャンプーボール内壁に取り付けやすくしたものである。
【０００９】
本考案においては、吸着部を角度調整自在に枕体と支持体とに取り付けてあるとシャン
プーボールの内壁形状に合わせてフィットしやすい。
また、枕アームの下端側に角度調整アームを有していればシャンプーボールの形状に応じて吸着部の角度及び距離を調整でき、枕部上面の水平維持がしやすくなる。
この場合に、枕アームの下端側の吸着部は枕アームを構成する角度調整アームの下端に取り付くことになる。
【考案の効果】
【００１０】
本考案においては、枕部の下に連結した枕アームを湾曲させ、この枕アームの湾曲に沿
って複数の枕体側連結孔を設けて、任意の連結孔と、支持アーム側の支持体側連結孔とで
連結できるようにしたので市販の各種形状からなるシャンプーボールの内側の立上がり壁
面の任意の位置に取り付けることができ、コンパクトなのでシャンプー等の施術作業に支
障をきたすことはない。
特にシャンプーボールの形状や被施術者に合わせて後頭部を受ける位置の調整が容易で
あるだけでなく、枕の上面を水平に保つことができるので後頭部の支持安定性がよい。
【考案を実施するための最良の形態】
【００１１】
本考案に係る後頭部支持補助具１０（以下、単に補助具と称する）の例を以下図面に基
づいて説明する。
図１に補助具１０の組立図を示し、図２に枕体３０と支持体２０とを連結した補助具１
０の斜視図を示す。
【００１２】
図１に示すように本考案に係る補助具１０は、支持体２０に枕体３０を連結した構成に
なっている。
支持体２０はシャンプーボールの内壁に取り付ける吸着部２５ａ、２５ｂと枕体３０を
連結する支持アーム２１ａ、２１ｂとを有している。
吸着部２５ａ、２５ｂは、吸盤等の吸着性を有するものであり、シャンプーボールの内
壁の形状にフィットするように支持体２０に角度自在に取り付けてある。
本実施例では、水平方向に回動する軸部の例を示したが例えば球軸を介して垂直方向及
び水平方向角度調整自在にしてもよい。
また、支持体２０は後頭部支持補助具１０をシャンプーボールの内壁に取り付けるため
のものであり、シャンプーボールの内壁形状に合わせてフィットするように３点以上の吸
着部が好ましく、支持体２０に３点以上の吸着部を設けてもよいが、本実施例においては
支持体２０に２点の吸着部２５ａ、２５ｂとし、枕部３１の下に連結した湾曲形状の枕ア
ーム３２の下端側に吸着部３４を設けた例を示す。
【００１３】
枕体３０は、後頭部を載置する枕部３１の下に湾曲した枕アーム３２を連結してある。
枕アーム３２は、下端側の吸着部３４と支持体側の２点の吸着部２５ａ、２５ｂとでシ
ャンプーボールの内壁に吸着取り付けした際にシャンプーボールの内壁部からの水平方向
と垂直方向との枕部３１の距離が調整できるように枕アーム３２の湾曲部に複数の枕体側
連結孔３３ａ、３３ｂ、３３ｃ、・・・を設けて任意の枕体側連結孔と支持体側連結孔２
２ａ１、２２ａ２、２２ａ３、・・・とを連結部材２４ａ、２４ｂにて連結できるように
なっている。
枕アーム３２と支持アームとの連結方法は枕アーム３２の湾曲部の複数の位置で支持体
２０と連結できれば各種方法を採用でき、上記のように連結部材２４ａ、２４ｂの２本に
する必要もなく、連結部材は１本でも良く、ピン形状も丸棒状に限定する必要がなく、角
形状の矩形ピンでも良い。
本実施例においては、細かく位置調整ができ、連結安定性を考慮し、枕アームに複数の
連結孔３３ａ、３３ｂ、・・・３３ｌ（３３エル）、・・・を設け、支持体２０側には、
枕アーム３２を両側から挟み込むように２本の支持アーム２１ａ、２１ｂを形成し、その
間の枕アーム装着部２３に枕アーム３２を嵌入して２本の連結部材２４ａ、２４ｂを任意
の枕体側連結孔と支持体側連結孔とに連通させて連結する例を示す。
枕部３１の高さ調整を細かくできるように本実施例においては、支持体側連結孔も複数
設けてあり、この連結孔の数も（２２ａ１，２２ｂ１）、（２２ａ２，２２ｂ２）、（２
２ａ３，２２ｂ３）、（２２ａ４，２２ｂ４）の４組に限定されるものではない。
【００１４】
各種シャンプーボールへの取付例を図３〜図５に示す。
シャンプーボールの形状は非常に多くの種類が有り、図３に示した例はシャンプーボー
ル４０の内壁の立上りが急で、深さも深く、首の載置部４１も内側にはり出すように設け
られた例である。
この場合に枕アーム３２の下端側の吸着部３４を首載置部４１の下側に廻り込むように
吸着させ、支持体側の２点の吸着部２５ａ、２５ｂにて補助具１０を支えるように取り付
けることができる。
この場合には枕アーム３２の湾曲部垂直立上り近くに設けた枕体側連結孔３３ｉ、３３
ｋと支持アーム２１ａ、２１ｂの上部に設けた支持体側連結孔２２ａ１、２２ａ２とで連
結する。
図４に示した例は、シャンプーボールの内壁が斜めに立上っている形状に対応した例で
この場合には枕アーム３２の湾曲部立上げ部に設けた枕体側連結孔３３ｆ、３３ｈを用い
ている。
図５に示すように更に、底が浅いシャンプーボールの場合には支持アームを寝かせるよ
うにして連結孔２２ａ２、２２ａ３を用いるとともに枕部３１の上面が水平になるように
枕アームの湾曲部水平側の枕体側連結孔３３ｌ（３３エル）、３３ｎを用いた例である。
【００１５】
補助具１０のシャンプーボールへの取付例を図３〜図５に示したように本考案において
は枕アーム３２をシャンプーボールの内壁立上げ部から上部に向けて湾曲させた湾曲形状
にしたことにより、どのようなシャンプーボール形状に対しても常に枕部３１の上面がお
おむね水平になるようにして、且つ、水平方向と垂直方向の位置調整ができるので枕部３
１の上面が傾くこともなく安定して後頭部を支持できる。
【００１６】
図６に枕アーム３２０の下端側に角度調整アーム３２０ｂを備えた枕体３００の組立図を示す。
枕体３００の湾曲した枕アーム３２０は、枕部３１０の下に連結してある上部枕アーム３２０ａと、下端側に吸着部３４０を設けてある角度調整アーム３２０ｂとを回動軸３５０ｃにて連結する。
【００１７】
側面視略L字型の上部枕アーム３２０ａは、枕部３１０の下に略垂直に連結してあり、複数の枕体側連結孔３３０ａ〜３３０ｅを垂直部に設けてある。また略L字状に突出してある下端側には、上部枕アーム側軸孔３５０ａと、上部枕アーム側回動規制孔３６０ａ（以下、単に上部規制孔と称する）とを設けてある。
上部規制孔３６０ａは上部枕アーム側軸孔３５０ａと所定の距離を隔てて設けてある
側面視略Ｉ字型の角度調整アーム３２０ｂは、下端側に吸着部３４０を設けてある。また上端側には、角度調整アーム側軸孔３５０ｂと、複数の角度調整アーム側回動規制孔３６０ｂ、３６０ｃ（以下、単に調整アーム規制孔と称する）とを設けてある。
複数の調整アーム規制孔３６０ｂ、３６０ｃは角度調整アーム側軸孔３５０ｂを中心として円弧状に配列してあり、その距離は上部規制孔３６０ａと上部枕アーム側軸孔３５０ａとの距離と同等である。
ここで角度調整アーム３２０ｂには２孔の調整アーム規制孔３６０ｂ、３６０ｃを設ける例を示すが、調整アーム規制孔の孔数は本実施例に限定されない。
【００１８】
上部枕アーム３２０ａと角度調整アーム３２０ｂとは、双方の軸孔３５０ａ、３５０ｂに回動軸３５０ｃを連通挿嵌することにより連結し、回動軸３５０ｃでの回動にて枕アーム３２０における角度調整アーム３２０ｂの連結角度を調整する。
ここでは、回動軸３５０ｃでの回動による角度調整アーム３２０ｂの連結角度を固定維持する手段として、任意に選択した調整アーム規制孔３６０ｂ、３６０ｃいづれかと、上部規制孔３６０ａとに回動規制部材３６０ｄを連通することにより回動を固定し角度調整アーム３２０ｂの連結角度を固定維持する例を示すが、角度調整アーム３２０ｂの連結角度を固定維持する手段は本実施例に限定されない。
枕アーム３２０における角度調整アーム３２０ｂの連結角度を調整することにより、シャンプーボール内壁に対する吸着部３４０の角度及び距離を調整する。
【００１９】
図７に角度調整アーム３２０ｂを備えた枕体３００と支持体２００とを連結した補助具１００の斜視図を示す。
支持体２００の支持アーム２１０ａ、２１０ｂに設けた２組の支持体側連結孔（２２０ａ１，２２０ｂ１）、（２２０ａ２，２２０ｂ２）と、枕体３００に設けた複数の枕体側連結孔３３０ａ、３３０ｂ、・・・のうち任意に選択した２孔とに連結部材２４０ａ、２４０ｂを連通させて支持体２００と枕体３００とを連結し、枕部３１０の垂直方向位置を調整する。
補助具１００は、位置を調整した枕体３００の吸着部３４０と、支持体２００の吸着部２５０ａ、２５０ｂとでシャンプーボール内壁に吸着する。
【００２０】
枕アーム３２０の下端側に角度調整アーム３２０ｂを有した枕体３００を備えた補助具１００の各種シャンプーボール４０への取付例を図８〜図１０に示す。
図８に示した例は、内壁の立上がりが急で、深さも深く、首載置部４１は図３に示した形状よりも内側にはり出しているシャンプーボール４０に補助具１００を取り付けた例である。
この場合の補助具１００は、枕アーム３２０における角度調整アーム３２０ｂの連結角度を調整アーム規制孔３６０ｃで固定維持し、側面視略直角に湾曲した状態で吸着部３４０の距離を調整する。
枕体３００の枕体側連結孔３３０ｄ、３３０ｅと、支持体２００の支持体側連結孔とを連結部材２４０ａ、２４０ｂで連結し、枕部３１０の垂直方向位置を調整する。
補助具１００は枕部３１０の上面を水平に維持しつつ吸着部３４０、２５０ａ、（２５０ｂ）でシャンプーボール４０に吸着し取り付けることができる。
図９に示した例は、内壁が斜めに立上がっているシャンプーボール４０に対応した例であり、この場合には角度調整アーム３２０ｂの連結角度を調整アーム規制孔３６０ｂで固定維持し、側面視略く字型に湾曲した状態で吸着部３４０の距離を調整する。
枕体３００の枕体側連結孔３３０ｂ、３３０ｃを用いて枕部３１０の垂直方向位置を調整してある。
図１０に示すように更に底が浅いシャンプーボール４０の場合には、角度調整アーム３２０ｂの連結角度を調整アーム規制孔３６０ｂで固定維持して吸着部３４０の距離を調整し、枕体３００の枕体側連結孔３３０ａ、３３０ｂを用いて枕部３１０の垂直方向位置を調整した例である。
【００２１】
図８〜図１０に示すように枕アーム３２０の下端側に角度調整アーム３２０ｂを有した枕体３００を備えた補助具１００であれば、枕部３１０の上面を水平に維持したままの状態で、枕部３１０の水平方向及び垂直方向の位置調整ができ、どのようなシャンプーボール４０形状に対しても取り付けることができる。
そして、シャンプー等の施術作業に支障をきたすことなく被施術者の後頭部を支持し首への負担を軽減させることができる。
【図面の簡単な説明】
【００２２】
【図１】本考案に係る後頭部支持補助具の組立図を示す。
【図２】枕体と支持体とを連結した状態を示す。
【図３】後頭部支持補助具のシャンプーボールの取付例を示す。
【図４】後頭部支持補助具のシャンプーボールの取付例を示す。
【図５】後頭部支持補助具のシャンプーボールの取付例を示す。
【図６】枕アームの下端側に角度調整アームを備えた枕体の組立図を示す。
【図７】角度調整アームを備えた枕体と支持体とを連結した後頭部支持補助具の斜視図を示す。
【図８】後頭部支持補助具のシャンプーボールへの取付例を示す。
【図９】後頭部支持補助具のシャンプーボールへの取付例を示す。
【図１０】後頭部支持補助具のシャンプーボールへの取付例を示す。
【図１１】シャンプーボールの斜視図を示す。
【符号の説明】
【００２３】
１０      後頭部支持補助具
２０      支持体
２１ａ、２１ｂ    支持アーム
２２ａ１、２２ａ２    支持体側連結孔
２２ｂ１、２２ｂ２    支持体側連結孔
２４ａ、２４ｂ    連結部材
２５ａ、２５ｂ    吸着部
３０    枕体
３１    枕部
３２    枕アーム
３３ａ、３３ｂ    枕体側連結孔
３４    吸着部
【図１】
0003122987.tif 000003
【図２】
0003122987.tif 000004
【図３】
0003122987.tif 000005
【図４】
0003122987.tif 000006
【図５】
0003122987.tif 000007
【図６】
0003122987.tif 000008
【図７】
0003122987.tif 000009
【図８】
0003122987.tif 000010
【図９】
0003122987.tif 000011
【図１０】
0003122987.tif 000012
【図１１】
0003122987.tif 000013